(57)【要約】【課題】足指の感触が好ましくファッション性に優れたフットカバーを提供する。【解決手段】このフットカバー１００は、爪先と踵を含む足底とを被覆するとともに足甲および足首を露出するフットカバーであって、爪先部１０２、足底部１０４、側辺部１０６および踵部１０８で形成され、足底部１０４に対して上下反対側に足を出し入れするための開口部を設け、足底部１０４における足底が当接する面に、各足指をループ状に保持する指部１１２を設け、開口部から挿入されて指部１１２により保持された足指が爪先部１０２で覆われる。【選択図】図１
2014043662.tif 000002
【特許請求の範囲】
【請求項１】
爪先と踵を含む足底とを被覆するとともに足甲および足首を露出するフットカバーであって、足底部、側辺部、踵部および前記爪先を覆う爪先部で形成され、
前記足底部に対して上下反対側に足を出し入れするための開口部を設け、
前記足底部における足底が当接する面に、少なくとも第１足指をループ状に保持する指部を設け、
前記開口部から挿入されて前記指部により保持された足指が前記爪先部で覆われることを特徴とするフットカバー。
【発明の詳細な説明】
【技術分野】
【０００１】
本発明は、着用すると、スニーカー（カジュアルな運動用の靴）やパンプス（履き口である甲部分が大きく開いている主として婦人用の靴）等の靴の内側に隠れて見えなくなるフットカバーに関し、特に、足指の感触が好ましく、ファッション性に優れたフットカバーに関する。
【背景技術】
【０００２】
素足にスニーカーやパンプス等の靴を履くことが、ファッションとして定着している。この場合、パンプスと足裏とが直接接していると、足に発生した汗により靴の中が蒸れてしまい不快感がある。
そこで、爪先と踵を含む足底とを被覆するとともに足甲および足首を露出するフットカバーであって、着用時にスニーカーやパンプスから露出することのないよう履き口が大きくカットされた薄手のフットカバーが提案されている。このフットカバーを着用してスニーカーやパンプスを履けば、外観上、素足にスニーカーやパンプスを履いているように見え、足裏とスニーカーやパンプスとの間にはフットカバーが介しているため、汗によって靴の中が蒸れてしまうことを防止することができる。
【０００３】
なお、このような足装着具を、本明細書ではフットカバーと記載するが、ソックスカバー、インナーソックス、ヌードソックス、カバーソックス等と記載される場合も、単に靴下と記載される場合もある。
このようなフットカバーはスニーカーやパンプスから露出しないよう履き口が大きくカットされているため、歩行中の摩擦等によって履き位置がずれたり、脱げたりすすることがある。一方、履き口を小さくしてしまうとパンプスから露出してしまう。このような問題点に鑑みて開発されたフットカバー（靴下）が、以下の先行技術文献に開示されている。
【０００４】
特開平９−５９８０４号公報（特許文献１）は、略全体が靴中に隠れるように形成されている靴下において、踵側の内面に滑り止め部材を設けたことを特徴とする靴下を開示する。この特許文献１の図４には、このような特徴を備えるとともに、爪先側に５本の指部が形成された５本指タイプの靴下が開示されている。また、特許文献１には、このような特徴を備えるとともに、爪先側が親指と他の指との２つに分かれたミトンタイプの靴下が開示されている。
【先行技術文献】
【特許文献】
【０００５】
【特許文献１】特開平９−５９８０４号公報
【発明の概要】
【発明が解決しようとする課題】
【０００６】
特許文献１に開示された靴下を着用してスニーカーやパンプスを履けば、外観上、素足にスニーカーやパンプスを履いているように見え、かつ、踵側の内面に設けられた滑り止め部材により、靴を履いて歩いたときや、履いていた靴を脱ぐときにも、脱げることがない。
しかしながら、特許文献１の図４に開示された５本指タイプの靴下を着用している場合、履いていた靴を脱ぐときにこの靴下が足から脱げないことは好ましいが、５本指の靴下を着用していることが一目瞭然である。このような靴下を着用する比較的若い人はファッションとして着用しているので、５本指タイプであることを他人に見られることを好ましくないと思うことも多い。
【０００７】
本発明は、従来技術の上述の問題点に鑑みて開発されたものであり、その目的とするところは、足指を離隔して保持することにより足指の感触が好ましく、かつ、靴を脱いだときに指先が分かれていることが他人にわからないフットカバーを提供することである。
【課題を解決するための手段】
【０００８】
上記目的を達成するため、本発明に係るフットカバーは以下の技術的手段を講じている
。
すなわち、本発明に係るフットカバーは、爪先と踵を含む足底とを被覆するとともに足甲および足首を露出する。このフットカバーは、足底部、側辺部、踵部および前記爪先を覆う爪先部で形成されている。そして、前記足底部に対して上下反対側に足を出し入れするための開口部を設け、前記足底部における足底が当接する面に、少なくとも第１足指をループ状に保持する指部を設け、前記開口部から挿入されて前記指部により保持された足指が前記爪先部で覆われることを特徴とする。
【発明の効果】
【０００９】
本発明のフットカバーによれば、足指を離隔して保持することにより足指の感触が好ましく、かつ、靴を脱いだときに指先が分かれていることが他人にわからないようにすることができる。
【図面の簡単な説明】
【００１０】
【図１】本発明の実施の形態に係るフットカバーの全体斜視図である。
【図２】図１のフットカバーを着用している途中の斜視図である。
【図３】図１のフットカバーの上面図である。
【図４】図１のフットカバーの開口部から爪先部を見た図である。
【発明を実施するための形態】
【００１１】
以下、本発明の実施の形態に係るフットカバーを、図面に基づき詳しく説明する。なお、フットカバーの構造には様々なものがあり、本発明は特定の構造に限定されるものではなく、後述する特徴を備えたものであれば、どのようなフットカバーの構造であっても、フットカバーを構成する生地の種類、生地の型紙およびその縫製がどのようなものであっても構わない。そのため、以下に示すフットカバーの構造自体は単なる例示でしかない。なお、フットカバーを形成する生地は伸縮性を備えた生地であれば特に限定されるものではない。
【００１２】
また、以下に示すフットカバーは左右共用であるために、左右を履き間違いすることがない点で好ましい。
図１および図２に本発明の実施の形態に係るフットカバー１００を示す。図１はフットカバー１００の全体斜視図であって、図２はフットカバー１００を着用している途中の斜視図である。図１および図２は着用者の足Ｆにフットカバーを着用している状態を想定している。すなわち、本発明の実施の形態に係るフットカバーは、パンティストッキング等の伸縮性生地で形成されているために、このように想定して図示しない場合には縮んだ状態となり、形状を理解することが困難なため、上述のように想定している。
【００１３】
このフットカバー１００は、着用者の足Ｆの爪先と踵を含む足底とを被覆するとともに足甲および足首を露出するフットカバーである。このフットカバー１００は、着用時にスニーカーやパンプスから露出することのないよう履き口である開口部が大きくカットされた薄手の伸縮性生地（パンティストッキング等の生地）で形成されている。
フットカバー１００は、爪先部１０２、足底部１０４、側辺部１０６および踵部１０８で形成されている。そして、足底部１０４に対して上下反対側に足を出し入れするための開口部が設けられている。この開口部を形成する、爪先部１０２、側辺部１０６および踵部１０８の上縁には、履きやすさおよび着用時に足Ｆからフットカバー１００がずれることを防止するために伸縮性細幅生地（平ゴムを含む）を設けたり、ファッション性を高めるためにレース状の細幅生地を設けることも好ましい。この場合、伸縮性細幅生地は、フットカバー１００の生地と同じ共生地であっても、異なる生地であっても構わない。
【００１４】
さらに、図に示すように、踵部１０８において足Ｆ側（内側）には、シリコン樹脂等の薄いシートで形成された踵部滑り止め１１８が設けられている。これにより、足Ｆの踵との密着性を高めてフットカバー１００が足Ｆからずれることを防止できる。
さらに、図示しないが、足底部１０４において、足Ｆが接する側と反対側（スニーカーやパンプスを履いたときにスニーカーやパンプスの内底に接する側）には、シリコン樹脂等の薄いシートで形成され、足底部滑り止めを設けることも好ましい。これにより、スニーカーやパンプスの内底との密着性を高めてスニーカーやパンプス内におけるフットカバ
ー１００の位置がずれることを防止できる。なお、このような足底部滑り止めを、足Ｆが接する側（内側）にも設けることも、足Ｆが接する側（内側）のみに設けることも考えられる。
【００１５】
このようなフットカバー１００は、以下に説明する指部１１２を設けてあることが特徴である。
図２は、フットカバー１００を着用している途中の斜視図である。図２においては、爪先部１０２は足指先の下側の位置に縮んだ状態である。
このフットカバー１００の着用方法は、以下の通りである。まず、着用者は、自身の踵に踵部１０８を引っかけて（第１のステップ）、次に、自身の第１足指（拇指、母趾）〜第５足指（小指、小趾）を５つのループ状に形成された指部１１２にそれぞれ挿入して保持し（第２のステップ）、その後、指部１１２に保持された足指を爪先部１０２で覆う（第３のステップ）。なお、第１のステップの順序は最初であっても最後であっても途中であっても構わないが、第２のステップの後に第３のステップを行うことにより、露出した状態で着用者が視覚で確認して指部１１２に足指を挿入することができるために、スムーズに着用できる点で特に好ましい。
【００１６】
この図２に示すように、フットカバー１００において、足底部１０４における着用者の足Ｆの足底が当接する面に、第１足指〜第５足指の５本の各足指を離隔してループ状に保持する指部１１２（第１指部１１２Ａ、第２指部１１２Ｂ、第３指部１１２Ｃ、第４指部１１２Ｄ、第５指部１１２Ｅ）を設け、開口部から挿入されて第１指部１１２Ａ〜第５指部１１２Ｅにより保持された第１足指〜第５足指が爪先部１０２で覆われる。
【００１７】
なお、この図２に示す以外に、指部１１２は、（１）第１指部１１２Ａと、第２指部１１２Ｂから第５指部１１２Ｅまでが一体化されたいわゆるミトンタイプのものであっても、（２）第１指部１１２Ａのみで形成され、第２指部１１２Ｂ〜第５指部１１２Ｅが存在しないものであっても構わない。すなわち、この指部１１２は、フットカバー１００において、足底部１０４における足底が当接する面に、少なくとも第１足指をループ状に保持する第１指部１１２Ａを設け、開口部から挿入されて第１指部１１２Ａにより保持された第１足指が爪先部１０２で覆われる態様であれば構わない。
【００１８】
さらに、この指部１１２について、図３および図４を参照して詳しく説明する。図３はフットカバー１００の上面図であって、図４はフットカバーの開口部から爪先部１０２側を見た図である。図３および図４は、図１および図２と同様に、着用者の足Ｆにフットカバーを着用している状態を想定して、フットカバー１００を伸ばしている図である。
図３および図４に示すように、第１指部１１２Ａ〜第５指部１１２Ｅは、足底部１０４の足Ｆ側に縫着されたループ形状を備える。この第１指部１１２Ａ〜第５指部１１２Ｅは、伸縮性細幅生地をループ形状にして足底部１０４に縫着されている。第１指部１１２Ａ〜第５指部１１２Ｅにおけるループ形状は、足指の大きさには差があるが、同じ形状である。このようにすると、このフットカバー１００の着用時において、左右を履き間違いすることがない点で好ましい。
【００１９】
なお、図１〜図４においては、着用者の足Ｆを右足として、右足にフットカバー１００を着用した場合を図示して説明したが、このフットカバー１００を左足に着用した場合には、第１指部１１２Ａ〜第５指部１１２Ｅの順序が、第１足指（拇指、母趾）〜第５足指（小指、小趾）ではなく、第５足指（小指、小趾）〜第１足指（拇指、母趾）になることを確認的に記載しておく。
【００２０】
なお、第１足指〜第５足指の５本の足指の大きさの違いに対応させて、第１指部１１２Ａ〜第５指部１１２Ｅのループ形状を異なるようにしても構わない。
このフットカバ−１００の指部１１２は、ループ状の伸縮性生地により各足指を保持することにより足指の感触が好ましい。特に、足指の間の汗ばみ等があっても指部１１２により足指どうしが離隔して保持されているので、不快感を抑制することができる。また、この指部１１２により足指が保持されているので、このフットカバー１００の着用時にフットカバー１００がずれたり脱げたりすることを防止することができる。そして、このような機能を発現する指部１１２は、着用時において爪先部１０２で覆われるために、フッ
トカバー１００の着用時に靴を脱いだときでも指先が分かれていることが他人にわかることはない。
【００２１】
以上のようにして、本実施の形態に係るフットカバーによると、足指を離隔して保持することにより足指の感触が好ましく、かつ、靴を脱いだときに指先が分かれていることが他人にわからないようにすることができる。このため、足指の感触が好ましく、ファッション性に優れたフットカバーを提供することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００２２】
本発明は、素足で履くフットカバーに好適であり、足指を離隔して保持することにより足指の感触が好ましく、かつ、靴を脱いだときに指先が分かれていることが他人にわからないようにすることができる点で特に好ましい。
【符号の説明】
【００２３】
１００  フットカバー
１０２  爪先部
１１２  指部
１０４  足底部
１０６  側辺部
１０８  踵部
１１８  踵部滑り止め
Ｆ  足
【図３】
2014043662.tif 000003
【図４】
2014043662.tif 000004
【図１】
2014043662.tif 000005
【図２】
2014043662.tif 000006